(57)【特許請求の範囲】
【請求項１】
記憶装置に記憶されている楽曲のイントロ部を再生するオーディオ装置のイントロスキャン方法において、
タッチパネル付き表示装置にアーチスト名あるいはアルバム名あるいは曲名のリストを表示するステップ、
該リストにおける一つの項目がタッチされてイントロスキャン再生とイントロ再生時間を特定するタッチ操作がなされたか監視するステップ、
前記タッチ操作がなされたとき、該タッチ操作に基づいてイントロ再生時間を決定するステップ、
前記タッチされた項目に応じた楽曲のイントロ部を前記イントロ再生時間ずつ再生するステップ、
を備え、前記タッチ操作は、前記項目の２点を同時にタッチする操作であり、前記イントロ再生時間を決定するステップにおいて、タッチされた２点間の距離に基づいてイントロ再生時間を決定する、
ことを特徴とするイントロスキャン方法。
【請求項２】
イントロ再生中、イントロ再生曲を含む曲名リストを表示し、
イントロ再生中に前記タッチ操作がなされたとき、該タッチ操作に基づいたイントロ再生時間を以後のイントロ再生時間とする、
ことを特徴とする請求項１記載のイントロスキャン方法。
【請求項３】
楽曲のイントロ部を再生するオーディオ装置において、
楽曲を保存する楽曲記憶装置、
前記楽曲記憶装置に記憶されている楽曲のアーチスト名あるいはアルバム名あるいは曲名のリストを表示するタッチパネル付き表示装置、
前記表示されているリストにおける一つの項目がタッチされてイントロスキャン再生とイントロ再生時間を特定するタッチ操作がなされたか監視するイントロスキャン指示検出部、
前記タッチ操作がなされたとき、該タッチ操作に基づいてイントロ再生時間を決定するイントロ再生時間決定部、
前記タッチされた項目に応じた楽曲のイントロ部を前記イントロ再生時間ずつ再生するよう制御する制御部、
を備え、前記タッチ操作は、前記項目の２点を同時にタッチする操作であり、前記イントロ再生時間決定部は、該タッチされた２点間の距離に基づいてイントロ再生時間を決定する、
ことを特徴とするオーディオ装置。
【請求項４】
前記タッチパネル付き表示装置は、イントロ再生中、イントロ再生曲を含む曲名リストを表示し、前記制御部は、イントロ再生中に前記タッチ操作がなされたとき、該タッチ操作に基づいたイントロ再生時間を以後のイントロ再生時間としてイントロ再生制御を行う、
ことを特徴とする請求項３記載のオーディオ装置。
【発明の詳細な説明】
【技術分野】
【０００１】
本発明はオーディオ装置及びイントロスキャン方法に係り、特に記憶装置に記憶されている楽曲のイントロ部を再生するオーディオ装置及びイントロスキャン方法に関する。
【背景技術】
【０００２】
車載機のハードディスクや携帯オーディオ装置の大容量の記憶部には大量の楽曲を記録することができ、ユーザは所望の楽曲を選曲して再生することができる。所望の楽曲の選曲方法としては、アーチスト検索/アルバム検索/曲名検索する方法がある。アーチスト検索は、図１２の（Ａ）に示す検索メニュー画面においてアーチスト検索メニューを選択して行なうもので、アーチスト検索メニューを選択すると、(Ｂ)に示すようにアーチスト名リストがスクロール可能に表示されるから、聴きたいアーチスト名を選択し、該アーチストのアルバム名リストを表示し、聴きたいアルバムを選択し、該アルバムの曲名リストを表示して所望の曲名を選択すれば該曲名の楽曲の再生をすることができる。尚、アーチストを選択して再生開始を指示すれば該アーチストの最初のアルバムの先頭の楽曲から再生することができる。
アルバム検索は、図１２の（Ａ）に示す検索メニュー画面においてアルバム検索メニューを選択して行なうもので、アルバム検索メニューを選択すると、(Ｃ)に示すようにアルバム名リストが表示されるから、アルバムを選択し、該アルバムの曲名リストを表示して所望の曲名を選択すれば該曲名の楽曲の再生をすることができる。尚、アルバムを選択して再生開始を指示すれば該アルバムの先頭から楽曲の再生をすることができる。
曲名検索は、図１２の（Ａ）に示す検索メニュー画面において曲名検索メニューを選択して行なうもので、曲名検索メニューを選択すると、(Ｄ)に示すように曲名リストがスクロール可能に表示されるから、聴きたい曲名を選択すれば該曲名の楽曲を再生することができる。
【０００３】
上記の選曲方法は、聞きたい楽曲の曲名が予め分かっている場合であるが、分かっていない場合がある。かかる場合には、イントロスキャンによる選曲方法がある。このイントロスキャンによる選曲方法は、楽曲選択後の再生画面（図１３参照）において、スキャンキー(SCAN)１にタッチすることにより行なわれる。すなわち、スキャンキー(SCAN)１にタッチすると、再生画面に表示されている曲から順番に所定時間ずつ、例えば１０秒間ずつ各楽曲の先頭部(イントロ部)が再生され、聴きたい曲のイントロ再生が行なわれているとき、再度スキャンキー(SCAN)１にタッチすると、イントロスキャンが終了し、該イントロ再生曲の先頭から再生が開始する。
【０００４】
従来のイントロスキャン方法は、曲を検索した後の再生画面においてスキャンキー(SCAN)を選択してイントロスキャンを行なう必要がある。すなわち、１)リスト表示画面における曲選択、２)再生画面におけるイントロスキャン再生選択、の２つの操作を必要とする。このため、イントロスキャンを開始するまで手間がかかる問題がある。そこで、別の従来技術としてリスト表示画面においてイントロスキャンを開始する方法が提案されている(特許文献１参照)。図１４はかかる従来技術の説明図であり、アルバム名リストを表示している際に所定のアルバムを選択すると、該アルバムに含まれている曲のイントロ部を先頭曲から順番に所定時間ずつ再生するものである。なお、アーチスト名リストが表示されている場合には、所定のアーチストを選択すると、該アーチストの最初のアルバムから該アルバムに含まれている曲のイントロ部を先頭曲から順番に所定時間ずつ再生する。
しかし、かかる従来技術では、別途イントロ再生するか、通常の再生をするかを選択する操作が必要となる。また、ユーザの好みによって、あるいは曲のジャンルによって、あるいは、記憶されている曲数などによって、イントロ再生時間を任意に変更したい場合がある。しかし、従来技術ではイントロ再生時間は一定であり、かかる要求に対応することができなかった。
【先行技術文献】
【特許文献】
【０００５】
【特許文献１】特開２００４−３２６９０７号公報
【発明の概要】
【発明が解決しようとする課題】
【０００６】
以上から、本発明の目的は、リスト表示画面において、１回のタッチ操作によりイントロ再生するか、通常の再生をするかを区別できるようにすることである。
本発明の別の目的は、１回のタッチ操作によりイントロスキャン再生を指示することができ、しかも、イントロスキャン再生指示と同時にイントロ再生時間を指示することができるようにすることである。
本発明の別の目的は、イントロスキャン中にイントロ再生時間を変更できるようにすることである。
【課題を解決するための手段】
【０００７】
本発明は、記憶装置に記憶されている楽曲のイントロ部を再生するオーディオ装置及びそのイントロスキャン方法である。
・イントロスキャン方法
本発明のイントロスキャン方法は、タッチパネル付き表示装置にアーチスト名あるいはアルバム名あるいは曲名のリストを表示するステップ、該リストにおける一つの項目がタッチされてイントロスキャン再生とイントロ再生時間を特定するタッチ操作がなされたか監視するステップ、前記タッチ操作がなされたとき、該タッチ操作に基づいてイントロ再生時間を決定するステップ、前記タッチされた項目に応じた楽曲のイントロ部を前記イントロ再生時間ずつ再生するステップ、を有している。前記タッチ操作は、前記項目の２点を同時にタッチする操作であり、タッチされた２点間の距離に基づいてイントロ再生時間を決定する。
本発明のイントロスキャン方法は、更に、イントロ再生中、イントロ再生曲を含む曲名リストを表示するステップ、イントロ再生中に前記タッチ操作がなされたとき、該タッチ操作に基づいたイントロ再生時間を以後のイントロ再生時間とするステップ、を備えている。
【０００８】
・オーディオ装置
本発明のオーディオ装置は、楽曲を保存する楽曲記憶装置、前記楽曲記憶装置に記憶されている楽曲のアーチスト名あるいはアルバム名あるいは曲名のリストを表示するタッチパネル付き表示装置、前記表示されているリストにおける一つの項目がタッチされてイントロスキャン再生とイントロ再生時間を特定するタッチ操作がなされたか監視するイントロスキャン指示検出部、前記タッチ操作がなされたとき、該タッチ操作に基づいてイントロ再生時間を決定するイントロ再生時間決定部、前記タッチされた項目に応じた楽曲のイントロ部を前記イントロ再生時間ずつ再生するよう制御する制御部を備え、前記タッチ操作は、前記項目の２点を同時にタッチする操作であり、前記イントロ再生時間決定部は、該タッチされた２点間の距離に基づいてイントロ再生時間を決定する。
本発明のオーディオ装置において、前記タッチパネル付き表示装置は、イントロ再生中、イントロ再生曲を含む曲名リストを表示し、前記制御部は、イントロ再生中に前記タッチ操作がなされたとき、該タッチ操作に基づいたイントロ再生時間を以後のイントロ再生時間としてイントロ再生制御を行う。
【発明の効果】
【０００９】
本発明によれば、タッチパネル付き表示装置にアーチスト名あるいはアルバム名あるいは曲名のリストを表示し、該リストにおける一つの項目がタッチされてイントロスキャン再生とイントロ再生時間を特定するタッチ操作がなされたか監視し、前記タッチ操作がなされたとき、該タッチ操作に基づいてイントロ再生時間を決定し、前記タッチされた項目に応じた楽曲のイントロ部を前記イントロ再生時間ずつ再生するようにしたから、リスト表示画面において、１回のタッチ操作によりイントロ再生するか、通常の再生をするかを区別し、しかも、イントロスキャン再生指示と同時にイントロ再生時間を指示することができる。
また、本発明によれば、イントロ再生中、イントロ再生曲を含む曲名リストを表示し、イントロ再生中に前記タッチ操作がなされたとき、該タッチ操作に基づいたイントロ再生時間を以後のイントロ再生時間とするようにしたから、イントロスキャン中にイントロ再生時間を変更することができる。
【図面の簡単な説明】
【００１０】
【図１】本発明の概略説明図である。
【図２】再生画面表示例である。
【図３】イントロ再生中にイントロ再生時間を変更する操作の説明図である。
【図４】本発明のオーディオ装置の構成図である。
【図５】ローカルデータべース（ローカルCDDB）に記憶される音楽情報説明図である。
【図６】ハードディスクにおける楽曲データ記憶例である。
【図７】本発明のイントロスキャン制御処理フローである。
【図８】本発明のイントロスキャン制御処理フローである。
【図９】本発明のイントロスキャン制御処理フローである。
【図１０】イントロ再生時間の変更処理フローである。
【図１１】携帯オーディオ装置の大容量記憶装置に記録されている楽曲を再生する場合のオーディオ装置の構成図である。
【図１２】検索メニュー画面である。
【図１３】再生画面例である。
【図１４】イントロスキャンの従来技術説明図である。
【発明を実施するための形態】
【００１１】
(A)本発明の概略
図１は本発明の概略説明図である。（A）の検索メニュー画面において、アーチスト検索メニューを選択すると、(Ｂ)に示すようにアーチスト名リストがスクロール可能に表示され、アルバム検索メニューを選択すると、(Ｃ)に示すようにアルバム名リストがスクロール可能に表示され、曲名検索メニューを選択すると、(Ｄ)に示すように曲名リストがスクロール可能に表示される。
(Ｂ)のアーチスト名リスト表示において所望のアーチストAAAの曲のイントロスキャンを行なうには、(Ｂ)′に示すように該アーチストAAAが表示されているメニュー項目に指をタッチし該項目を左より右方向になぞる(タッチしたまま指をスライドさせる)。なぞる操作はイントロスキャン再生を意味し、なぞる操作のない単なるタッチ(単押し)は通常再生を意味する。また、なぞり幅(スライド幅)に基づいてイントロ再生時間を決定する。例えば、メニュー項目全体の幅Wを最大イントロ再生時間とし、スライド幅とメニュー項目全体の幅の比に基づいてイントロ再生時間を決定する。すなわち、最大イントロ再生時間を60秒とし、実際のスライド幅がW/2であれば、イントロ再生時間は30秒、スライド幅がW/4であれば、イントロ再生時間は15秒、スライド幅がW/6であれば、イントロ再生時間は10秒とする。したがって、アーチストAAAが表示されているメニュー項目に指をタッチし該項目を左より右方向にW/2なぞると、以後、アーチストAAAの最初アルバムの最初の曲から30秒ずつイントロ再生が開始する。その際、図２に示すようにイントロ再生曲の曲名、アルバム名、アーチスト名、トラック番号、プレイ時間が表示される。そして、所望の曲がイントロ再生されている際に例えばスキャン(SCAN)キー１にタッチするとイントロスキャンが終了し、該イントロ再生曲の先頭から再生が開始する。なお、なぞり操作はメニュー項目の途中から行なってもよい。
【００１２】
(Ｃ)のアルバム名リスト表示において所望のアルバムABCの曲のイントロスキャンを行なうには、(Ｃ)′に示すように該アルバムABCが表示されているメニュー項目に指をタッチし該項目を左より右方向になぞる。例えば、アルバムABCが表示されているメニュー項目に指をタッチし該項目を左より右方向にW/2なぞると、以後、アルバムABCの最初の曲から30秒ずつイントロ再生が開始する。その際、図２に示すようにイントロ再生曲の曲名、アルバム名、アーチスト名、トラック番号、プレイ時間が表示される。そして、所望の曲がイントロ再生されている際に例えばスキャン(SCAN)キー１にタッチするとイントロスキャンが終了し、該イントロ再生曲の先頭から再生が開始する。
又、(Ｄ)の曲名リスト表示において所望の曲名（Track AA）の曲からイントロスキャンを行なうには、(Ｄ)′に示すようにTrack AAが表示されているメニュー項目に指をタッチし該項目を左より右方向になぞる。例えば、Track AAが表示されているメニュー項目に指をタッチし該項目を左より右方向にW/2なぞると、以後、Track AAから30秒ずつイントロ再生が開始する。その際、図２に示すようにイントロ再生曲の曲名、アルバム名、アーチスト名、トラック番号、プレイ時間が表示される。そして、所望の曲がイントロ再生されている際に例えばスキャン(SCAN)キー１にタッチするとイントロスキャンが終了し、該イントロ再生曲の先頭から再生が開始する。尚、曲名リストよりイントロスキャンを指示した場合には、設定により全曲あるいは該曲が含まれるアルバムのイントロスキャンを行なうようにすることができる。
【００１３】
以上は、タッチ操作により指示されたイントロ再生時間ずつ各曲のイントロ部を順に再生する場合であるが、イントロ再生中にイントロ再生時間を変更可能なようにすることもできる。
図３はイントロ再生中にイントロ再生時間を変更する操作の説明図である。イントロ再生中は図２の再生画面でなく、図３のイントロ再生曲を含む曲名リストを表示する。例えば曲名リスト(図１(D))においてTrack AAのメニュー項目がなぞられると(図１の(D)′)、Track AAが最初のイントロ再生曲となり、該曲のイントロ再生(イントロ再生時間は10秒であるとする)をしながら図３（Ａ）の曲名リストを表示する。図３(Ａ)では再生曲を示すマークIPMが再生曲の項目メニューの右側に表示されている。以後、順番に各曲Track BB→Track CC→Track DD→・・・・のイントロ再生が行なわれ、表示される曲名リストも図３(B)→図３(C)→図３(D)→・・・と変化する。そして、例えば、図３(Ｄ)のTrack DDのイントロ再生中に、Track DDのメニュー項目に指をタッチし該項目を左より右方向になぞり、なぞり幅をW/3にすれば、以後のイントロ再生時間は10秒から20秒に変更される。
尚、アーチスト名リスト表示(図１(Ｂ)参照)よりイントロスキャンが指示されたときにも、また、アルバム名リスト表示(図１(Ｃ)参照)よりイントロスキャンが指示されたときにも図３のように曲名リストを表示し、同様にイントロ再生時間を変更する。
【００１４】
(Ｂ)オーディオ装置の構成
図４は本発明のオーディオ装置１０の構成図であり、CDドライブ１１は、CDを線速度一定でスピンドル回転制御すると共に、フォーカス/トラッキングサーボ制御し、CD読み込み装置１２は光ピックアップで読み込んだ信号をEFM処理、AGC処理後、デジタル信号処理してTOC情報と音楽データを発生する。音楽再生装置１３は音楽データを用いてDA変換処理その他の制御を行ってスピーカ１４より再生音を出力する。
CD読み込み装置１２は、CDから読み取った音楽データをハードディスクHDD１５に記憶(リッピング)するために、TOC情報及び音楽データを音楽データ管理＆再生制御ユニット１６に入力する。音楽データ管理＆再生制御ユニット１６は、音楽情報検索装置１６ａ、音楽データ圧縮装置１６ｂ、音楽データ管理/再生制御部１６ｃを有している。ローカルデータべース（ローカルCDDB）１７には、図５に示すように曲の音楽情報(TOC情報、アルバムタイトル、アーチスト名、曲名がCD毎に予め記憶されている。
【００１５】
音楽情報検索装置１６ａは、TOC情報で特定されるCDの音楽情報をローカルCDDB１７から取得して音楽データ圧縮装置１６ｂに入力する。音楽データ圧縮装置１６ｂは、曲の音楽データを圧縮すると共にローカルCDDB １７から読み出された該曲の音楽情報を該圧縮音楽データに付加して音楽データ管理装置/再生制御部１６ｃに入力する。
音楽データ管理/再生制御部１６ｃは、入力された音楽情報付き音楽データをハードディスク（HDD）１５に記憶する。なお、HDD １５には、例えば図６に示すようにアーチスト名→アルバム名→曲名の順に各楽曲データが階層的に記憶される。以上に加えて、音楽データ管理/再生制御部１６ｃは、HDD １５に記録されている楽曲の検索処理、イントロスキャン処理、選曲された楽曲の再生制御を行う。
【００１６】
(Ｃ)通常再生動作
HDD １５に記憶された所望の楽曲の音楽データを再生するには、ユーザはタッチパネル付き表示装置１９より楽曲検索を指示する。これにより、音楽データ管理/再生制御部１６ｃはモニター１９aに図１(A)に示す検索メニューを表示し、ユーザにより所定の検索メニュー項目が選択されると、該選択された検索メニュー項目に応じて図１（B）〜(D)に示すアーチスト名リスト、アルバムリスト、曲名リストを表示する。
図１(A)において、アーチスト検索メニューが選択されると、音楽データ管理/再生制御部１６ｃはHDD １５に記録されている階層構造データ(図１６参照)を参照してモニター１９aに図１(Ｂ)に示すようにアーチスト名リストをスクロール可能に表示する。ユーザが聴きたいアーチスト名を選択(タッチパネル入力)すれば、音楽データ管理/再生制御部１６ｃは該アーチストのアルバム名リストをモニター１９aに表示する。ついで、ユーザがアーチストの聴きたいアルバムを選択すれば、音楽データ管理/再生制御部１６ｃは該アルバムに含まれる曲名リストを表示する。そして、最後にユーザが曲名リストより聞きたい曲名を選択すれば、音楽データ管理/再生制御部１６ｃは該曲名の音楽データをHDD１５から読み出して音楽データ伸長装置１８に入力し、音楽データ伸長装置１８は圧縮音楽データを伸長して音楽再生装置１３に入力し、スピーカ１４より音を出力する。尚、アーチストを選択した時点で該アーチストの最初のアルバムの最初の楽曲から再生を開始したり、アルバムを選択した時点で該アルバムの先頭の楽曲から再生を開始することもできる。
【００１７】
また、図１(A)において、アルバム検索メニューが選択されると、音楽データ管理/再生制御部１６ｃはHDD １５に記録されている階層構造データを参照してモニター１９aに図１(C)に示すようにアルバム名リストをスクロール可能に表示する。ユーザが聴きたいアルバムを選択すれば、音楽データ管理/再生制御部１６ｃは該アルバムに含まれる曲名リストを表示する。そして、最後にユーザが曲名リストより聞きたい曲名を選択すれば、音楽データ管理/再生制御部１６ｃは該曲名の音楽データをHDD１５から読み出して音楽データ伸長装置１８に入力して再生する。尚、アルバムを選択した時点で該アルバムの先頭の楽曲から再生を開始することもできる。
また、図１(A)において、曲名検索メニューを選択すると、音楽データ管理/再生制御部１６ｃはHDD １５に記録されている階層構造データを参照してモニター１９aに図１(D)に示すように曲名リストをスクロール可能に表示する。ユーザが聴きたい曲名を選択すれば、音楽データ管理/再生制御部１６ｃは該曲名の音楽データをHDD１５から読み出して音楽データ伸長装置１８に入力して再生する。
【００１８】
(Ｄ)イントロスキャン動作
イントロスキャンは、アーチスト名リスト、アルバム名リスト、曲名リストが表示されている状態でタッチ操作により指示する。
例えば、アーチスト検索が選択された図１(Ｂ)のアーチスト名リスト表示において、所望のアーチストAAAの曲のイントロスキャンを行なうには、(Ｂ)′に示すように該アーチストAAAが表示されているメニュー項目に指をタッチし該項目を左より右方向になぞる(タッチしたまま指をスライドさせる)。なぞる操作はイントロスキャン再生を意味し、なぞる操作のない単なるタッチ(単押し)は通常再生を意味する。また、なぞり幅(スライド幅)に基づいてイントロ再生時間を決定する。
したがって、イントロスキャン指示検出部２０は、タッチパネル１９ｂからのタッチ検出信号に基づいてなぞる操作が行なわれたか監視し、なぞる操作が行なわれた場合にはイントロスキャンが指示されたものとして音楽データ管理/再生制御部１６ｃに通知する。又、イントロ再生時間決定部２１は、タッチ検出信号に基づいてなぞり幅(スライド幅)を求め、該なぞり幅に基づいてイントロ再生時間を決定し、イントロ再生時間を音楽データ管理/再生制御部１６ｃに入力する。なお、メニュー項目全体の幅Wを最大イントロ再生時間Tmaxとし、スライド幅とメニュー項目全体の幅の比に基づいてイントロ再生時間を決定する。
【００１９】
イントロスキャン開始が指示され、かつイントロ再生時間が入力されると音楽データ管理/再生制御部１６ｃは、階層データを用いてタッチされたメニュー項目であるアーチストAAAの最初アルバムの最初の楽曲から、入力された再生時間ずつイントロ再生を開始する。すなわち、音楽データ管理/再生制御部１６ｃは、順番に各楽曲の再生時間分の音楽データをHDD１５から読み出して音楽データ伸長装置１８に入力し、音楽データ伸長装置１８は圧縮音楽データを伸長して音楽再生装置１３に入力し、スピーカ１４より音を出力してイントロスキャン再生を行なう。その際、音楽データ管理/再生制御部１６ｃは、イントロ再生曲の曲名、アルバム名、アーチスト名、トラック番号、プレイ時間を示す画像データをモニター１９aに入力して再生画面(図２参照)を表示する。そして、所望の曲がイントロ再生されている際に例えばスキャン(SCAN)キー１にタッチすると音楽データ管理/再生制御部１６ｃは、イントロスキャン制御を終了し、該イントロ再生曲の先頭から再生が開始するよう制御する。
【００２０】
また、アルバム検索が選択された図１(C)のアルバム名リスト表示において、所望のアルバムABCの曲のイントロスキャンを行なうには、(C)′に示すように該アルバムABCが表示されているメニュー項目に指をタッチし該項目を左より右方向になぞる(タッチしたまま指をスライドさせる)。イントロスキャン指示検出部２０は、タッチパネル１９ｂからのタッチ検出信号に基づいてなぞる操作が行なわれたか監視し、なぞる操作が行なわれた場合にはイントロスキャンが指示されたものとして音楽データ管理/再生制御部１６ｃに通知する。又、イントロ再生時間決定部２１は、タッチ検出信号に基づいてなぞり幅(スライド幅)を求め、該なぞり幅に基づいてイントロ再生時間を決定し、イントロ再生時間を音楽データ管理/再生制御部１６ｃに入力する。イントロスキャン開始が指示され、かつイントロ再生時間が入力されると、音楽データ管理/再生制御部１６ｃは、階層データを用いてタッチされたメニュー項目であるアルバムABCの最初の楽曲から、入力された再生時間ずつイントロ再生を開始すると共に、図２に示す再生画面を表示する。そして、所望の曲がイントロ再生されている際にユーザがスキャン(SCAN)キー１にタッチすると音楽データ管理/再生制御部１６ｃは、イントロスキャン制御を終了し、該イントロ再生曲の先頭から再生が開始するよう制御する。
【００２１】
一方、曲名検索が選択された図１(D)の曲名リスト表示において、所望の楽曲Track AAのイントロスキャンを行なうには、(D)′に示すように該楽曲Track AAが表示されているメニュー項目に指をタッチし該項目を左より右方向になぞる(タッチしたまま指をスライドさせる)。イントロスキャン指示検出部２０は、タッチパネル１９ｂからのタッチ検出信号に基づいてなぞる操作が行なわれたか監視し、なぞる操作が行なわれた場合にはイントロスキャンが指示されたものとして音楽データ管理/再生制御部１６ｃに通知する。又、イントロ再生時間決定部２１は、タッチ検出信号に基づいてなぞり幅(スライド幅)を求め、該なぞり幅に基づいてイントロ再生時間を決定し、イントロ再生時間を音楽データ管理/再生制御部１６ｃに入力する。イントロスキャン開始が指示され、かつイントロ再生時間が入力されると、音楽データ管理/再生制御部１６ｃは、タッチされたメニュー項目である楽曲Track AAから順に、入力された再生時間ずつ各楽曲のイントロ再生を開始すると共に、図２に示す再生画面を表示する。そして、所望の曲がイントロ再生されている際にユーザがスキャン(SCAN)キー１にタッチすると音楽データ管理/再生制御部１６ｃは、イントロスキャン制御を終了し、該イントロ再生曲の先頭から再生が開始するよう制御する。
【００２２】
(Ｅ)イントロスキャン制御処理
図７〜図９は本発明のイントロスキャン制御処理フローである。
図１(A)の検索方法選択の検索メニュー画面において、ユーザが所定の検索方法(検索種別)を選択すると(ステップ１０１)、音楽データ管理/再生制御部１６ｃは曲名検索が選択されたか、アルバム検索が選択された、アーチスト検索が選択されたか判別する(ステップ１０２)。
曲名検索が選択されると、音楽データ管理/再生制御部１６ｃは、階層構造データを用いて曲名リスト(図１(D))をモニター１９aに表示し(ステップ１０３)、イントロスキャン指示検出部２０からイントロスキャンが指示されたか監視する(ステップ１０４)。
イントロスキャンが指示されなければ、通常再生操作がなされたかチェックし(ステップ１０５)、所望の曲名が選択されて通常再生が指示されれば、該選択された曲名の楽曲の音楽データをHDD１５から読み出して再生を開始する(ステップ１０６)。しかし、ステップ１０５において、通常再生が指示されていなければ、曲名リストのスクロール操作がなされたかチェックし(ステップ１０７)、スクロール操作がなされていれば曲名リストをスクロール表示し(ステップ１０８)、ステップ１０４以降の処理を継続する。
【００２３】
一方、ステップ１０４において、所定の曲名のメニュー項目をなぞる操作が行なわれると、イントロスキャン指示検出部２０は音楽データ管理/再生制御部１６ｃにイントロスキャン開始を指示する(ステップ１０４で「YES」となる)。又、イントロ再生時間決定部２１はイントロ再生時間Tintを決定して音楽データ管理/再生制御部１６ｃに入力する(ステップ１０９)。
イントロスキャン開始が指示され、かつイントロ再生時間が指示されると、音楽データ管理/再生制御部１６ｃは、なぞられたメニュー項目の曲Miをスキャン曲Sとする(S＝Mi、ステップ１１０)。そして、該スキャン曲Sの音楽データをHDD １５から読み出して前記イントロ再生時間Tint分、再生を行なう(ステップ１１１)。又、このイントロ再生と同時に曲Sの再生画面(図２)をモニター１９aに表示する(ステップ１１２)。
【００２４】
イントロ再生中、音楽データ管理/再生制御部１６ｃは、スキャン(SCAN)キーがタッチされたか監視し(ステップ１１３)、タッチされていなければ、再生開始からの経過時間が再生時間Tintになったかチェックし(ステップ１１４)、再生時間Tintに到達してなければ何もせず、ステップ１１１以降の処理を繰り返し、再生時間Tintに到達していれば、再生曲を次の曲に切り替え(S=S+1,ステップ１１５)、次の曲の音楽データをHDD １５から読み出してイントロ再生時間Tint分の再生を開始する(ステップ１１１)。
以上のイントロスキャン再生が継続して、聞きたい曲のイントロ再生が行なわれているときに、スキャン(SCAN)キー１がタッチされると、音楽データ管理/再生制御部１６ｃは、イントロスキャン制御を終了し、該イントロ再生曲の先頭から再生を開始する(ステップ１１６)。以上により、曲名リストが表示されている場合のイントロスキャン制御が終了する。尚、ステップ１１１〜１１６は、イントロスキャン再生処理ステップ１００と定義する。
【００２５】
一方、ステップ１０１において、アルバム検索が選択されると、音楽データ管理/再生制御部１６ｃは、階層構造データを用いてアルバム名リスト(図１(C))をモニター１９aに表示し(ステップ２１１))、イントロスキャン指示検出部２０からイントロスキャンが指示されたか監視する(ステップ２１２)。
イントロスキャンが指示されなければ、通常再生操作がなされたかチェックし(ステップ２１３)、所望のアルバムが選択されて通常再生が指示されれば、該選択されたアルバム名の先頭の楽曲の音楽データをHDD１５から読み出して再生を開始する(ステップ２１４)。しかし、ステップ２１３において、通常再生が指示されていなければ、アルバム名リストのスクロール操作がなされたかチェックし(ステップ２１５)、スクロール操作がなされていればアルバム名リストをスクロール表示し(ステップ２１６)、ステップ２１２以降の処理を継続する。
ステップ２１２において、所定のアルバム名のメニュー項目をなぞる操作が行なわれると、イントロスキャン指示検出部２０は音楽データ管理/再生制御部１６ｃにイントロスキャン開始を指示する(ステップ２１２で「YES」となる)。又、イントロ再生時間決定部２１はイントロ再生時間Tintを決定して音楽データ管理/再生制御部１６ｃに入力する(ステップ２１７)。
【００２６】
イントロスキャン開始が指示され、かつイントロ再生時間が指示されると、音楽データ管理/再生制御部１６ｃは、なぞられたメニュー項目のアルバムの先頭曲Miをスキャン曲Sとする(S＝Mi、ステップ２１８)。そして、以後、図７のステップ１００と同様のイントロスキャン再生処理を行い、聞きたい曲のイントロ再生が行なわれているときに、スキャン(SCAN)キー１がタッチされると、音楽データ管理/再生制御部１６ｃは、イントロスキャン制御を終了し、該イントロ再生曲の先頭から再生が開始する再生制御を行う。以上により、アルバム名リストが表示されている場合のイントロスキャン制御が終了する。
【００２７】
一方、ステップ１０１において、アーチスト検索が選択されると、音楽データ管理/再生制御部１６ｃは、階層構造データを用いてアーチスト名リスト(図１(B))をモニター１９aに表示し(ステップ３１１))、イントロスキャン指示検出部２０からイントロスキャンが指示されたか監視する(ステップ３１２)。
イントロスキャンが指示されなければ、通常再生操作がなされたかチェックし(ステップ３１３)、所望のアーチストが選択されて通常再生が指示されれば、該選択されたアーチストの最初アルバムの先頭の楽曲の音楽データをHDD１５から読み出して再生を開始する(ステップ３１４)。しかし、ステップ３１３において、通常再生が指示されていなければ、アルバム名リストのスクロール操作がなされたかチェックし(ステップ３１５)、スクロール操作がなされていればアーチスト名リストをスクロール表示し(ステップ３１６)、ステップ３１２以降の処理を継続する。
ステップ３１２において、所定のアーチスト名のメニュー項目をなぞる操作が行なわれると、イントロスキャン指示検出部２０は音楽データ管理/再生制御部１６ｃにイントロスキャン開始を指示する(ステップ３１２で「YES」となる)。又、イントロ再生時間決定部２１はイントロ再生時間Tintを決定して音楽データ管理/再生制御部１６ｃに入力する(ステップ３１７)。
【００２８】
イントロスキャン開始が指示され、かつイントロ再生時間が指示されると、音楽データ管理/再生制御部１６ｃは、なぞられたメニュー項目のアーチストの最初のアルバムの先頭曲Miをスキャン曲Sとする(S＝Mi、ステップ３１８)。そして、以後、図７のステップ１００と同様のイントロスキャン再生処理を行い、聞きたい曲のイントロ再生が行なわれているときに、スキャン(SCAN)キー１がタッチされると、音楽データ管理/再生制御部１６ｃは、イントロスキャン制御を終了し、該イントロ再生曲の先頭から再生が開始する再生制御を行う。以上により、アーチスト名リストが表示されている場合のイントロスキャン制御が終了する。
【００２９】
(Ｆ)イントロ再生時間の変更処理
図１０はイントロ再生時間の変更処理フローであり、図７のステップ１００の処理フローにイントロ再生時間変更ステップを加えたもので、同一処理部分には同一ステップ番号を付している。異なる点は、イントロスキャンのイントロ再生時に図２の再生画面を表示せず、イントロ再生曲を含む曲名リストを表示する点(ステップ４０１)、イントロ再生中に例えばイントロ再生曲のメニュー項目にタッチしてなぞる操作がなされたとき(ステップ４０２)、該なぞり幅に基づいたイントロ再生時間を以後のイントロ再生時間とする点(ステップ４０３)である。
イントロスキャン開始が指示され、かつイントロ再生時間が指示されると、音楽データ管理/再生制御部１６ｃは、なぞられたメニュー項目の曲Miをスキャン曲Sとし、該スキャン曲Sの音楽データをHDD １５から読み出してイントロ再生時間Tint分、再生を行なう(ステップ１１１)。又、このイントロ再生と同時にイントロ再生曲Sを含む曲名リスト（図３（Ａ））をモニター１９aに表示する(ステップ４０１)。
【００３０】
イントロ再生中、音楽データ管理/再生制御部１６ｃは、スキャン(SCAN)キー１がタッチされたか監視し(ステップ１１３)、タッチされていなければ、例えばイントロ再生曲の曲名のメニュー項目がタッチされてなぞる操作がなされたかチェックし(ステップ４０２)、なぞり操作がなされていれば、イントロ再生時間決定部２１はなぞり幅に応じた新たなイントロ再生時間Tint′を決定して音楽データ管理/再生制御部１６ｃに入力する。これにより、音楽データ管理/再生制御部１６ｃは該入力されたTint′をイントロ再生時間Tintとして採用して(Tint=Tint′)イントロ再生制御を継続する（ステップ４０３)。
しかる後、あるいは、なぞり操作がなければ、再生開始からの経過時間が再生時間Tintになったかチェックし(ステップ１１４)、再生時間Tintに到達してなければ何もせず、ステップ１１１以降の処理を繰り返し、再生時間Tintに到達していれば、再生曲を次の曲に切り替え(S=S+1,ステップ１１５)、次の曲の音楽データをHDD １５から読み出してイントロ再生時間Tint分の再生を開始する(ステップ１１１)。なお、ステップ４０１において新たなイントロ再生曲Sを含む曲名リスト（図３(B)、（C）,(D)）をモニター１９aに表示する。
【００３１】
以上では、メニュー項目にタッチしてなぞることにより、イントロスキャン指示、イントロ再生時間の設定を同時に行ったが別のタッチ操作によりイントロスキャン指示、イントロ再生時間の設定を行うことができる。例えば、メニュー項目の２点を同時にタッチし、タッチされた２点間の距離に基づいてイントロ再生時間を決定することができる。この場合、１点タッチ（単押し）を通常再生指示とする。あるいは、所定メニュー項目の１点を長タッチし、タッチ時間に基づいてイントロ再生時間を決定することができ。この場合、ダブルクリック（ダブルタッチ）を通常再生指示とする。
【００３２】
また、以上では楽曲データがハードディスクHDDに記録されている場合について説明したが、携帯オーディオ装置を車載用オーディオ装置に接続し、該携帯オーディオ装置の大容量記憶装置に記録されている楽曲を再生する場合にも本発明は適用することができる。図１１はかかる場合の説明図であり、図４の実施例と同一部分には同一符号を付している。異なる点は、ハードディスクに代えて通信部３１及び該通信部に接続する携帯オーディオ装置５０を設けた点である。
以上本発明を実施例にしたがって説明したが、本発明は実施例に限定されるものではなく請求の範囲内において種々変更が可能である。例えば、イントロ再生時間はリスト表示画面でなく、再生画面において画面の所定領域をなぞることにより変更することができる。また、以上では、メニュー項目の幅Wを最大イントロ時間であるとして実際のイントロ時間をなぞり幅に基づいて計算したが、メニュー項目の幅Wを楽曲の演奏時間と見なして実際のイントロ時間をなぞり幅に基づいて計算することもできる。
【符号の説明】
【００３３】
１５  ハードディスクHDD
１６  音楽データ管理＆再生制御ユニット
１６ｃ  音楽データ管理/再生制御部
１８  音楽データ伸長装置
１９  タッチパネル付表示装置
２０  イントロスキャン指示検出部
２１  イントロ再生時間決定部
【図１】
0005441582.tif 000002
【図２】
0005441582.tif 000003
【図３】
0005441582.tif 000004
【図４】
0005441582.tif 000005
【図５】
0005441582.tif 000006
【図６】
0005441582.tif 000007
【図７】
0005441582.tif 000008
【図８】
0005441582.tif 000009
【図９】
0005441582.tif 000010
【図１０】
0005441582.tif 000011
【図１１】
0005441582.tif 000012
【図１２】
0005441582.tif 000013
【図１３】
0005441582.tif 000014
【図１４】
0005441582.tif 000015